(57)【要約】【課題】ノズルによる吸着信頼性及び強度を向上させた電子部品を提供する【解決手段】チップ部品２と、金属フレーム端子３と、第１コア４と、第２コア５と、端子６とから構成される電子部品本体に金属製の金属カバー１０が設けられている。また、接合部３Ａ１の金属カバー１０側の面と第１接続部３Ｂ１又は第２接続部３Ｂ２との間の距離Ｌ１は、金属カバー１０と第１開口縁４Ｅ１又は第２開口縁５Ｄ１の金属カバー１０側との間の距離Ｌ２よりも短く構成されている。第１接続部３Ｂ１は、第１開口縁４Ｅ１であって金属カバー１０側の縁に当接し、第２接続部３Ｂ２は、第２開口縁５Ｄ１であって金属カバー１０側の縁に当接している。【選択図】図４
2006073783.tif 000002
【特許請求の範囲】
【請求項１】
一対の外部電極を有するチップ部品と、
少なくとも一方向に開口するスペースを提供し、該スペースに該チップ部品を収容し、一対の貫通孔を有するコアと、
該一対の貫通孔に貫通し、該チップ部品の一方の該外部電極と接合する接合部を有する金属フレーム端子と、を備えた電子部品において、
該接合部及び該コアと対向し、該コアに固定され、少なくとも一部に平面部を有する金属カバーを更に備えることを特徴とする電子部品。
【請求項２】
該接合部と該金属カバーとの間には隙間が提供されることを特徴とする請求項１に記載の電子部品。
【請求項３】
該コアは、該チップ部品に対向する第１コア面を有する第一コアと、該チップ部品を介して該第１コア面に対向する第２コア面を有する第二コアとに分割して構成され、
一方の該貫通孔は、該第１コア面内に開口し、他方の該貫通孔は、該第２コア面内に開口し、
該金属フレーム端子は、該接合部と、該接合部から一方の該貫通孔へ延びる第一腕部と、該接合部から他方の該貫通孔へ延びる第２腕部と、該第１腕部から延び一方の該貫通孔を貫通する第１貫通部と、該第２腕部から延び他方の該貫通孔を貫通する第２貫通部とを少なくとも有し、該第１腕部と該第１貫通部との接続部は第１接続部をなし、該第２腕部と該第２貫通部との接続部は第２接続部をなし、
該接合部の該金属カバー側の面と該第１接続部との間の距離は、該金属カバーと一方の該貫通孔の開口縁の該金属カバー側との間の距離よりも短く、該接合部の該金属カバー側の面と該第２接続部との間の距離は、該金属カバーと他方の該貫通孔の開口縁の該金属カバー側との間の距離よりも短く構成されることを特徴とする請求項２に記載の電子部品。
【請求項４】
該第１接続部は、一方の該貫通孔の開口縁の該金属カバー側に当接し、該第２接続部は、他方の該貫通孔の開口縁の該金属カバー側に当接することを特徴する請求項３に記載の電子部品。
【請求項５】
該金属カバーと該コアとの間には、絶縁物が介在していることを特徴とする請求項２に記載の電子部品。
【請求項６】
該金属カバーの該接合部に対向する部分には、該接合部から離間する凹部が設けられていることを特徴とする請求項２に記載の電子部品。
【請求項７】
該隙間は、該接合部と該金属カバーとの間に０．１ｍｍ以上提供されることを特徴とする請求項２に記載の電子部品。
【発明の詳細な説明】
【技術分野】
【０００１】
本発明は、電子部品に関し、特にノイズを吸収するノイズフィルタ等の電子部品に関する。
【背景技術】
【０００２】
従来から、表面実装が可能な電子部品の様々な形状が提案されている。例えば、チップコンデンサを金属フレーム端子で保有し、貫通孔を有する一対のコアによって、チップコンデンサを挟みつつ金属フレーム端子の一対の貫通部を各貫通孔に貫通させて、金属フレーム端子の一対の外縁部をそれぞれコアに沿わせて表面実装可能な電子部品が提案されている（例えば、特許文献１参照）。
【０００３】
また、一対の腕部と一対の貫通孔を有する基部とからなるＵ字状のコアの一対の腕部間にチップコンデンサを配置し、金属フレーム端子の一端にチップコンデンサの一方の電極を固定し、金属フレーム端子の一端から二股に分かれた一対の貫通部を各貫通孔に貫通させて表面実装可能な電子部品を提案しているものもある（例えば、特許文献２参照）。
【０００４】
【特許文献１】実開平４−４６７１６号公報
【特許文献２】実開平１−８６７１５号公報
【発明の開示】
【発明が解決しようとする課題】
【０００５】
しかし、従来の電子部品では、回路基板へ実装するためにノズルの端面を電子部品の一側面（吸着面）に当接させて、負圧吸引により電子部品を搬送するとき、吸着面の凹凸により、負圧吸引が不完全となって電子部品の落下や吸着エラーが生じたり、ノズルによるコアの破壊を引起す可能性があった。
【０００６】
そこで、本発明は、ノズルによる吸着信頼性及び強度を向上させた電子部品を提供することを目的とする。
【課題を解決するための手段】
【０００７】
上記目的を達成するために、本発明は、一対の外部電極を有するチップ部品と、少なくとも一方向に開口するスペースを提供し、スペースにチップ部品を収容し、一対の貫通孔を有するコアと、一対の貫通孔に貫通し、チップ部品の一方の外部電極と接合する接合部を有する金属フレーム端子とを備えた電子部品において、接合部及びコアと対向し、コアに固定され、少なくとも一部に平面部を有する金属カバーを更に備える電子部品を提供している。
【０００８】
かかる構成によれば、平面部がノズルの吸着面として機能するので、電子部品をノズルの負圧吸引により回路基板へ実装する時の吸着信頼性を向上させることができる。更に、金属カバーを設けることにより、ノズルによるコアの破壊を防止することができ、電子部品自体の強度を向上させることができる。
【０００９】
接合部とカバーとの間には隙間が提供されることが好ましい。かかる構成によれば、使用時に金属カバーと接合部とが接触してショートするのを防止することができる。
【００１０】
コアは、チップ部品に対向する第１コア面を有する第一コアと、チップ部品を介して第１コア面に対向する第２コア面を有する第二コアとに分割して構成され、一方の該貫通孔は、第１コア面内に開口し、他方の貫通孔は、第２コア面内に開口し、金属フレーム端子は、接合部と、接合部から一方の貫通孔へ延びる第一腕部と、接合部から他方の貫通孔へ延びる第２腕部と、第１腕部から延び一方の貫通孔を貫通する第１貫通部と、第２腕部から延び他方の貫通孔を貫通する第２貫通部とを少なくとも有し、第１腕部と第１貫通部との接続部は第１接続部をなし、第２腕部と第２貫通部との接続部は第２接続部をなし、接合部の金属カバー側の面と第１接続部との間の距離は、金属カバーと一方の貫通孔の開口縁の金属カバー側との間の距離よりも短く、接合部の金属カバー側の面と第２接続部との間の距離は、金属カバーと他方の貫通孔の開口縁の金属カバー側との間の距離よりも短く構成されることが好ましい。
【００１１】
かかる構成によれば、使用時に振動等により接合部が金属カバーの方へ移動したとしても、両者が接触してショートするのを防止することができる。また、金属カバーの接合部及びコアと対向する部分全体を平坦にすることができ、実装時におけるノズルによる吸着ミスを防止することができる。
【００１２】
第１接続部は一方の貫通孔の開口縁の金属カバー側に当接し、第２接続部は他方の貫通孔の開口縁の金属カバー側に当接することが好ましい。かかる構成によれば、使用時に振動等により接合部が金属カバーの方へ移動するのを規制することができる。従って、隙間を確保することができ、金属カバーと接合部とのショートを防止することができる。
【００１３】
金属カバーとコアとの間には、絶縁物が介在していることが好ましい。かかる構成によれば、絶縁物の厚みにより金属カバーは接合部から離間することとなるので、接合部とカバーとの間に隙間を提供することができ、金属カバーと接合部とのショートを防止することができる。また、金属カバーの接合部及びコアと対向する部分全体を平坦にすることができ、実装時におけるノズルによる吸着ミスを防止することができる。
【００１４】
金属カバーの接合部に対向する部分には、接合部から離間する凹部が設けられていることが好ましい。かかる構成によれば、接合部とカバーとの間に隙間を提供することができ、金属カバーと接合部とのショートを防止することができる。
【００１５】
隙間は、接合部と金属カバーとの間に０．１ｍｍ以上提供されることが好ましい。係る構成によれば、金属フレーム端子がすず（Ｓｎ）によりメッキされているときに、Ｓｎの成長によりウィスカーが発生したとしても、金属カバーと金属フレーム端子とのショートを防止することができる。
【発明の効果】
【００１６】
本発明の電子部品によれば、ノズルによる吸着信頼性及び強度を向上させることができる。
【発明を実施するための最良の形態】
【００１７】
本発明による電子部品を３端子フィルタであるノイズフィルタに適用した実施の形態について図１乃至図４に基づき説明する。図１はノイズフィルタ１の斜視図、図２はノイズフィルタ１の分解斜視図、図３はノイズフィルタ１を図１の斜視側と反対側から見た斜視図、図４は図１のIV−IV線に沿った断面図である。
【００１８】
図１、２に示すように、ノイズフィルタ１は、チップ部品２と、金属フレーム端子３と、第１コア４と、第２コア５と、端子６とから構成される電子部品本体と、金属製の金属カバー１０と、第１、２コア４、５と金属カバー１０とを接着するための絶縁物である接着剤１１とから構成される（図２においては接着剤１１の図示を省略している）。また、ノイズフィルタ１は３．２（横幅）×１．６（縦幅）×２．１（高さ）ｍｍの大きさである。接着剤１１は絶縁性の熱硬化性樹脂である。また、チップ部品２は、略直方体の形状をなしその長手方向両端部に外部電極２Ａ、２Ｂを有する容量性素子（例えば、チップコンデンサ、チップバリスタ）である。
【００１９】
第１コア４及び第２コア５の間にはスペースＳが提供され、スペースＳにはコンデンサ２及びコンデンサ保有部３Ａが配置されている。
【００２０】
第１コア４は、フェライト又は複合フェライト等により構成される。また第１コア４は、第１−１面４Ａと、第２−１面４Ｂと、第３−１面４Ｃ（図３）と、第４面４Ｄと、第５面４Ｅ（図３）（請求項の第１コア面に相当）と、第６−１面４Ｆ（図３）とにより構成される。第１−１面４Ａは、第ａ１辺と第ａ１辺に略平行に延びる第ａ２辺とを有し、第２−１面４Ｂは、第ａ１辺と交差し第ａ１辺において第１角部θ１を構成する第１傾斜面４Ｂ１と、第１中央面４Ｂ２と、第１傾斜面４Ｂ１と逆方向に傾斜する第２傾斜面４Ｂ３とにより構成される。また、第１角部θ１は９０°未満に構成される。第３−１面４Ｃは、第２−１面４Ｂに対向し、かつ第２−１面４Ｂと同様の構造をしており、第ａ２辺と交差し第ａ２辺において第２角部θ２を構成する第３傾斜面４Ｃ１と、第２中央面４Ｃ２と、第４傾斜面４Ｃ３とにより構成される。また、第２角部θ２は９０°未満に構成される。
【００２１】
第４面４Ｄは、第１−１面４Ａと第２−１面４Ｂと第３−１面４Ｃとに交差しており、第５面４Ｅは、第１−１面４Ａと第２−１面４Ｂと第３−１面４Ｃとに交差し、第４面４Ｄに対向し、かつ略平行である。また、第４面４Ｄ及び第５面４Ｅの略中央には、両者に開口する第１貫通孔４ａが形成されており、図４に示すように後述する第１貫通部３Ｃ１が貫通している。そして、第５面４Ｅには、第１貫通孔４ａの第１開口縁４Ｅ１（図４）が規定されている。第６−１面４Ｆは、第１−１面４Ａに対向し、かつ第ａ３辺と第ａ３辺に略平行に延びる第ａ４辺（図３）とを有し、第ａ３辺において、第６−１面４Ｆと第２−１面４Ｂとは、角度が９０°未満である第３角部θ３を構成し、第ａ４辺において、第６−１面４Ｆと第３−１面４Ｃとは、角度が９０°未満である第４角部θ４を構成している。
【００２２】
第２コア５は、フェライト又は複合フェライト等により構成される。また第２コア５は、第１−２面５Ａと、第２−２面５Ｂと、第３−２面５Ｃ（図３）と、第７面５Ｄ（請求項の第２コア面に相当）と、第８面５Ｅ（図３）と、第６−２面５Ｆ（図３）とにより構成される。第１−２面５Ａは、第ｂ１辺と第ｂ１辺に略平行に延びる第ｂ２辺とを有し、第１−１面４Ａと略同一平面上に規定されている。また、第ｂ１辺は、第ａ１辺と略同一直線上に、第ｂ２辺は、第ａ２辺と同一直線上に規定されている。
【００２３】
第２−２面５Ｂは、第ｂ１辺と交差し第ｂ１辺において第５角部θ５を構成する第５傾斜面５Ｂ１と、第２中央面５Ｂ２と、第５傾斜面５Ｂ１と逆方向に傾斜する第６傾斜面５Ｂ３とより構成される。また、第２−２面５Ｂは、第２−１面４Ｂと略同一平面上に規定されており、第５角部θ５は９０°未満に構成される。第３−２面５Ｃは、第２−２面５Ｂに対向し、かつ第２−２面５Ｂと同様の構造をしており、第ｂ２辺と交差し第ｂ２辺において第６角部θ６を構成する第７傾斜面５Ｃ１と、第４中央面５Ｃ２と、第８傾斜面５Ｃ３とにより構成される。また、第３−２面５Ｃは、第３−１面４Ｃと略同一平面上に規定されており、第６角部θ６は９０°未満に構成される。
【００２４】
第７面５Ｄは、第１−２面５Ａと第２−２面５Ｂと第３−２面５Ｃとに交差しており、第８面５Ｅは、第１−２面５Ａと第２−２面５Ｂと第３−２面５Ｃとに交差し、第７面５Ｄに対向している。また、第７面５Ｄ及び第８面５Ｅの略中央には、両者に開口する第２貫通孔５ａが形成されており、図４に示すように後述する第２貫通部３Ｃ２が貫通している。そして、第７面５Ｄには、第２貫通孔５ａの第２開口縁５Ｄ１が規定されている。
【００２５】
第６−２面５Ｆは、第１−２面５Ａに対向し、かつ第ｂ３辺と第ｂ３辺に略平行に延びる第ｂ４辺とを有し、第６−１面４Ｆと略同一平面上に規定されている。また、第ｂ３辺は、第ａ３辺と略同一直線上に、第ｂ４辺は、第ａ４辺と略同一直線上に規定されている。第ｂ３辺において、第６−２面５Ｆと第２−２面５Ｂとは、角度が９０°未満である第７角部θ７を構成し、第ｂ４辺において、第６−２面５Ｆと第３−２面５Ｃとは、角度が９０°で未満である第８角部θ８を構成している。
【００２６】
金属フレーム端子３は、その全表面がすず（Ｓｎ）によりメッキされており、チップ部品保有部３Ａを有している。チップ部品保有部３Ａは、略矩形状の接合部３Ａ１と、接合部３Ａ１の互いに対向する２辺から略垂直に延びる一対の第１腕部３Ａ２及び第２腕部３Ａ３と、接合部３Ａ１の別の互いに対向する２辺から略垂直に延び、当該２辺の対向する方向へのチップ部品２の移動を規制する一対の第１押さえ片３Ａ４とから構成される。
【００２７】
第１腕部３Ａ２の接合部３Ａ１側と反対側の端部である第１接続部３Ｂ１には、第１コア４の第１貫通孔４ａを貫通する第１貫通部３Ｃ１が延設されている。第２腕部３Ａ３の接合部３Ａ１側と反対側の端部である第２接続部３Ｂ２には、第２コア５の第２貫通孔５ａを貫通する第２貫通部３Ｃ２が延設されている。そして、図４に示すように、接合部３Ａ１の金属カバー１０側の面と第１接続部３Ｂ１又は第２接続部３Ｂ２との間の距離Ｌ１は、金属カバー１０と第１開口縁４Ｅ１又は第２開口縁５Ｄ１の金属カバー１０側との間の距離Ｌ２よりも短く構成されている。
【００２８】
また、図４に示すように第１接続部３Ｂ１は、第１開口縁４Ｅ１であって金属カバー１０側の縁に当接し、第２接続部３Ｂ２は、第２開口縁５Ｄ１であって金属カバー１０側の縁に当接している。各貫通部３Ｃ１、３Ｃ２の一端からは、それぞれ外縁部３Ｄが第１コア４及び第２コア５に沿うように延設されている。また、外部電極２Ａと接合部３Ａ１とは、はんだにより接合される。
【００２９】
端子６は、第ａ３辺及び第ｂ３辺に略平行な第ｃ１辺と第ｃ１辺に略平行に延びる第ｃ２辺とを有し、第６−１面４Ｆ、第６−２面５Ｆ及び外部電極２Ｂに対向する板部６Ａを有している。端子６は、更に一方の第ｃ１辺から第２傾斜面４Ｂ３に対向するように延びる第１−１端子片部６Ｂ１と、他方の第ｃ１辺から第６傾斜面５Ｂ３に対向するように延びる第１−２端子片部６Ｃ１と、一方の第ｃ２辺から第４傾斜面４Ｃ３に対向するように延びる第２−１端子片部６Ｄ１と、他方の第ｃ２辺から第８傾斜面５Ｃ３に対向するように延びる第２−２端子片部６Ｅ１とを有している。
【００３０】
そして、第１−１端子片部６Ｂ１から第５面４Ｅに対向するように第１ａずれ防止片６Ｂ２が延設され、第１−２端子片部６Ｃ１から第７面５Ｄに対向するように第１ｂずれ防止片６Ｃ２が延設され、第２−１端子片部６Ｄ１から第５面４Ｅに対向するように第２ａずれ防止片６Ｄ２が延設され、第２−２端子片部６Ｅ１から第７面５Ｄに対向するように第２ｂずれ防止片６Ｅ２が延設されている。
【００３１】
また、板部６Ａの第１−１端子片部６Ｂ１と第１−２端子片部６Ｃ１との略中央、及び第２−１端子片部６Ｄ１と第２−２端子片部６Ｅ１との略中央には、第１−１端子片部６Ｂ１及び第２−１端子片部６Ｄ１が対向する方向へのチップ部品２の移動を規制する一対の第２押さえ片６Ｆが、それぞれチップ部品２に対向するように設けられている。そして、端子６は、第１−１端子片部６Ｂ１と第２−１端子片部６Ｄ１との第２傾斜面４Ｂ３及び第４傾斜面４Ｃ３へのかしめと、第１−２端子片部６Ｃ１と第２−２端子片部６Ｅ１との第６傾斜面５Ｂ３及び第８傾斜面５Ｃ３へのかしめにより、第１コア４及び第２コア５に固定される。また、外部電極２Ｂと板部６Ａとは、はんだにより接合される。
【００３２】
金属カバー１０は、第ａ１辺に略平行に延びる第ｄ１辺と第ｄ１辺に略平行に延びる第ｄ２辺とを有し、接合部３Ａ１と第１−１面４Ａと第１−２面５Ａとに対向する平面部である板状部材１０Ａを有している。そして図４に示すように、板状部材１０Ａと接合部３Ａ１との間には、０．１ｍｍ以上の隙間Ｃが提供される。
【００３３】
尚、板状部材１０Ａは、ノイズフィルタ１を回路基板上へ実装する時のノズルの吸着面として機能し、また板状部材にノイズフィルタ１の型番等を印刷等することにより、ノイズフィルタ１の型番等の識別表示部しても機能する。第ｄ１辺と第ｄ２辺と間の距離は、第１−１面４Ａの第ａ１辺と第ａ２辺との間の距離、第１−２面５Ａの第ｂ１辺と第ｂ２辺との間の距離よりも僅かに長く構成される。
【００３４】
金属カバー１０は、更に第ｄ１辺の第１コア４側から第１傾斜面４Ｂ１に対向するように延びる第１−１カバー片部１０Ｂ１と、第ｄ１辺の第２コア５側から第５傾斜面５Ｂ１に対向するように延びる第１−２カバー片部１０Ｃ１と、第ｄ２辺の第１コア４側から第３傾斜面４Ｃ１に対向するように延びる第２−１カバー片部１０Ｄ１と、第ｄ２辺の第２コア５側から第７傾斜面５Ｃ１に対向するように延びる第２−２カバー片部１０Ｅ１（図３）とを有している。そして、各カバー片部１０Ｂ１、１０Ｃ１、１０Ｄ１、１０Ｅ１の接合部３Ａ１から離間する側の端部には、それぞれアンカー効果発生部である切欠き１０ａが形成されている。
【００３５】
金属カバー１０は、第１−１カバー片部１０Ｂ１と第２−１カバー片部１０Ｄ１の第１傾斜面４Ｂ１及び第３傾斜面４Ｃ１へのかしめと、第１−２カバー片部１０Ｃ１と第２−２カバー片部１０Ｅ１の第５傾斜面５Ｂ１及び第７傾斜面５Ｃ１へのかしめにより、第１コア４及び第２コア５に固定される。更に、板状部材１０Ａと第１−１面４Ａ、板状部材１０Ａと第１−２面５Ａ、第１−１カバー片部１０Ｂ１と第１傾斜面４Ｂ１、第１−２カバー片部１０Ｃ１と第５傾斜面５Ｂ１、第２−１カバー片部１０Ｄ１と第３傾斜面４Ｃ１、第２−２カバー片部１０Ｅ１と第７傾斜面５Ｃ１との間に介在する接着剤１１により、電子部品本体と金属カバー１０とは一体化される。このとき接着剤１１は、切欠き１０ａにも流入し硬化している。
【００３６】
上述のようにノイズフィルタ１に金属カバー１０を設け、かつノイズフィルタ１を回路基板へ実装するときのノズルの吸着面となる板状部材１０Ａを平面状としているので、ノズルの負圧吸引によりノイズフィルタ１を搬送するときの吸着信頼性を向上させることができ、吸着面の凹凸によるノイズフィルタ１の落下や吸着エラーによる第１、２コア４、５の破壊を防止することができる。更に、接着剤１１により電子部品本体と金属カバー１０とを一体化することにより、ノズルによる第１、２コア４、５の破壊を防止することができ、ノイズフィルタ１自体の強度を増加させることができる。
【００３７】
また、金属カバー１０を設けたときに図５に示すように、図４の距離Ｌ１に相当する距離Ｌ３が、距離Ｌ２に相当する距離Ｌ４よりも長かったとすると、使用時に振動等により金属カバー１０と金属フレーム端子３とが接触してショートを引起すことが予想される。しかし、距離Ｌ１を距離Ｌ２よりも短くし、かつ各接続部３Ｂ１、３Ｂ２をそれぞれ各開口縁４Ｅ１、５Ｄ１に当接させて、金属カバー１０と接合部３Ａ１との間に隙間Ｃを提供しているので、使用時に振動等によりチップ部品保有部３Ａが金属カバーの方へ移動するのを規制することができる。従って、金属カバー１０と金属フレーム端子３とのショートを防止することができ、また板状部材１０Ａ全体を平面状にすることができる。
【００３８】
また、板状部材１０Ａと第１コア４及び第２コア５との間には、絶縁性の接着剤１１が介在しているので、板状部材１０Ａは接合部３Ａ１から更に離間することとなり隙間Ｃを確保することができ、また板状部材１０Ａ全体を平面状にすることができる。また、隙間Ｃは０．１ｍｍ以上であるので、金属フレーム端子３表面のＳｎの成長によりウィスカーが発生したとしても、金属カバー１０と金属フレーム端子３とのショートを防止することができる。
【００３９】
また、切欠き１０ａにも接着剤１１が流入・硬化しているので、接着剤１１の金属カバー１０への接着強度が劣化したとしても、金属カバー１０の電子部品本体からの離間に対して、接着剤１１がアンカーとして作用するので、金属カバー１０と電子部品本体とは離間しない。従って、ノズルの負圧吸引によりノイズフィルタ１を搬送するときの吸着信頼性を一層向上させることができる。
【００４０】
また切欠き１０ａは、各カバー片部１０Ｂ１、１０Ｃ１、１０Ｄ１、１０Ｅ１の接合部３Ａ１から離間する側の端部に形成されているので、製造時に接着剤１１は、第１コア４の第１−１面４Ａ及び第２コア５の第１−２面５Ａの接合部３Ａ１から離間する側に塗布される。従って、製造時に接合部３Ａ１に塗布されるはんだと当該接着剤１１との間の距離が確保されるので、両者が混ざるのを防止することができ、はんだが金属カバー１０に接触して、金属フレーム端子３と金属カバー３とがショートするのを防止することができる。
【００４１】
また、第１、２、５、６角部θ１、θ２、θ５、θ６を９０°未満に構成することにより、第１−１カバー片部１０Ｂ１と第２−１カバー片部１０Ｄ１と第１−２カバー片部１０Ｃ１と第２−２カバー片部１０Ｅ１とを第１傾斜面４Ｂ１と第３傾斜面４Ｃ１と第５傾斜面５Ｂ１と第７傾斜面５Ｃ１とへかしめることができるので、金属カバー１０を電子部品本体へ強固に固定することができる。
【００４２】
また、接着剤１１の金属カバー１０への接着強度か劣化したとしても、図６に示すように硬化した接着剤１１が各カバー片部と各傾斜面との間に介在しているので、上述のアンカー効果に加えて金属カバー１０の図６の上方向への移動を接着剤１１が物理的に規制することができる。また、接着剤１１の電子部品本体への接着強度か劣化したとしても、接着剤１１は、第１、第２角部θ１、θ２と、各傾斜面とに沿って硬化しているので、電子部品本体に嵌合する形となり、電子部品本体から剥離しない。従って、接着剤１１が各カバー片部と各傾斜面との間に介在することとなるので、金属カバー１０の電子部品本体から離間する方向への移動を物理的に規制することができる。
【００４３】
更に、金属カバー１０の構造及び接着剤１１の物理的移動規制によって、接着強度の低い接着剤１１でも、その硬化温度がはんだの接合温度付近である限りは使用が可能であり、外部電極２Ａ及び接合部３Ａ１、外部電極２Ｂ及び板部６Ａのはんだによる接合及び、電子部品本体と金属カバー１０との間の接着剤１１の硬化を、恒温槽において同時に行うことができる。従って、ノイズフィルタ１の生産時間及び生産コストを減少させることができる。
【００４４】
また、電子部品本体は、各端子片部及び各ずれ防止片を備える端子６を有しているので、電子部品本体の組立工程中の取り扱いを容易にすることができる。更に、端子６を有することによって、チップ部品２が回路基板に直接接触することによる破壊を防止することができる。
【００４５】
本実施の形態のノイズフィルタ１は、パソコン、自動車及びパチンコ機等の電子機器において使用するのに有効である。
【００４６】
本発明によるノイズフィルタ１は、上述した実施の形態に限定されず、特許請求の範囲に記載した範囲で種々の変形や改良が可能である。例えば、図７に示すように金属カバーの形状は、金属カバー１１０の接合部３Ａ１と対向する部分に、接合部３Ａ１から離間する凹部１１０Ａが設けられた形状であっても良い（金属カバー１０を反コンデンサ２側から見ると、凹部１１０Ａは凸部と云うこともできる）。また、隙間Ｃを０．１ｍｍ以上確保できる限りは、接着剤１１はなくても良い。
【００４７】
また、各カバー片部１０Ｂ１、１０Ｄ２、１０Ｃ１、１０Ｅ１は、それぞれ対向する各傾斜面４Ｂ１、５Ｂ１、５Ｃ１へかしめられていたが、上述の切欠き１０ａに流入・硬化した接着剤１１のアンカー効果が確保される限りはかしめなくても良い。また、ノイズフィルタ１のコアは、二つの第１コア４及び第２コア５に分割して構成されていたが、コンデンサを収容する一対の脚部と一対の脚部を接続する基部とからなるコの字状の一つのコアであっても良い。更に、電子部品はノイズフィルタに限定されず、コンデンサ、バリスタ、サーミスタでもよい。
【図面の簡単な説明】
【００４８】
【図１】本発明による電子部品をノイズフィルタに適用した実施の形態の斜視図。
【図２】本発明による実施の形態のノイズフィルタの分解斜視図。
【図３】本発明による実施の形態のノイズフィルタを図１の斜視側と反対側から見た斜視図。
【図４】図１のIV−IV線に沿った断面図。
【図５】図４に対する金属フレーム端子の比較例。
【図６】図１のノイズフィルタを第１コア側から見たときの正面図。
【図７】本発明による実施の形態のノイズフィルタの変更例。
【符号の説明】
【００４９】
１      ノイズフィルタ
２      チップ部品
２Ａ、２Ｂ  外部電極
３      金属フレーム端子
３Ａ１  接合部
３Ａ２  第１腕部
３Ａ３  第２腕部
３Ｂ１  第１接続部
３Ｂ２  第２接続部
３Ｃ１  第１貫通部
３Ｃ２  第２貫通部
４      第１コア
４ａ    第１貫通穴
４Ｅ１  第１開口縁
５      第２コア
５ａ    第２貫通穴
５Ｄ１  第２開口縁
１０    金属カバー
１０Ａ  板状部材
１１    接着剤
１１０Ａ  凹部
Ｃ      隙間
Ｌ１、Ｌ２  距離
Ｓ      スペース
【図１】
2006073783.tif 000003
【図２】
2006073783.tif 000004
【図３】
2006073783.tif 000005
【図４】
2006073783.tif 000006
【図５】
2006073783.tif 000007
【図６】
2006073783.tif 000008
【図７】
2006073783.tif 000009